(57)【要約】【課題】プラグをソケットに挿入したとき、対となるプラグ端子とソケット端子との電気的接触箇所を２箇所としても、挿入抵抗力の発生を挿入が深い位置まで遅らせることができ、且つプラグ端子に、ソケット端子の２つの接触部が重複して擦られる部分が生じないようにする。【解決手段】プラグ凸部４が挿抜される凹部５に、プラグ凸部４に設けられたプラグ端子７と接触するソケット端子８を設け、ソケット端子８は、プラグ凸部４の挿入方向奥側にて凹部５内に突出された第１接触部１６と、第１接触部１６よりもプラグ凸部４の挿入方向手前側に配置された第２接触部１７と、凹部５に挿入されたプラグ凸部４のプラグ端子７が第１接触部１６を押圧することで変形し、第２接触部１７を凹部５に挿入されたプラグ凸部４のプラグ端子７に接触させる方向に移動させる変形部１８とを有する。【選択図】図９
2009037970.tif 000002
【特許請求の範囲】
【請求項１】
プラグ端子が装着されたプラグ凸部が挿抜される凹部を有するハウジングと、
該ハウジングに装着され、上記凹部に挿入された上記プラグ凸部の上記プラグ端子と接触するソケット端子とを備え、
該ソケット端子は、
上記プラグ凸部の挿入方向奥側にて上記凹部内に突出された第１接触部と、
該第１接触部よりも上記プラグ凸部の挿入方向手前側に配置された第２接触部と、
上記凹部に挿入された上記プラグ凸部の上記プラグ端子が上記第１接触部を押圧することで変形し、上記第２接触部を上記凹部に挿入された上記プラグ凸部の上記プラグ端子に接触させる方向に移動させる変形部とを有する
ことを特徴とするソケット。
【請求項２】
上記ハウジングに、上記凹部に繋げて端子収容室を形成し、
該端子収容室に、上記ソケット端子を、上記第２接触部が上記凹部内に突出することなく上記第１接触部のみが上記凹部内に突出するように装着した請求項１に記載のソケット。
【請求項３】
上記ソケット端子は、上記ハウジングに固定された基部と、該基部に繋げて折り返された第１湾曲部と、該第１湾曲部に繋げて上記第１湾曲部とは逆方向に折り返された第２湾曲部と、該第２湾曲部に繋げて形成されたアーム部と、該アーム部に繋げて山型に屈曲された山型部とを備え、
上記第１接触部が、上記第２湾曲部に形成され、
上記第２接触部が、上記山型部に形成され、
上記変形部が、上記第１湾曲部と上記第２湾曲部との接続部に形成された請求項１又は２に記載のソケット。
【請求項４】
上記第１接触部から上記第１湾曲部の上部頂点までの上下方向距離Ｘが、上記第１接触部から上記第２湾曲部の下部頂点までの上下方向距離Ｙより大きく、
上記基部の上端部の上下方向位置が、上記第１接触部よりも下方であり、
上記第１接触部から上記基部の上端部までの上下方向距離Ｚが、上記距離Ｘよりも小さい請求項３に記載のソケット。
【請求項５】
上記第１接触部から上記第１湾曲部の上部頂点までの上下方向距離Ｘが、上記第１接触部から上記第２湾曲部の下部頂点までの上下方向距離Ｙより大きく、
上記基部の上端部の上下方向位置が、上記第１接触部よりも上方である請求項３に記載のソケット。
【請求項６】
上記ソケット端子が、上記ハウジングの左右に上記凹部を挟むように対向して配設されており、
左右のソケット端子の上記第１接触部同士の間隔ａが、左右のソケット端子の上記第２接触部同士の間隔ｂよりも小さい請求項１〜５のいずれかに記載のソケット。
【請求項７】
請求項６に記載のソケットと、
該ソケットの上記凹部に挿抜され、プラグ端子が装着されたプラグ凸部を有するプラグとから成るコネクタであって、
上記プラグ端子が、上記プラグ凸部の左右に配設されており、
左右のプラグ端子の間隔ｃが、上記間隔ａより大きく上記間隔ｂより小さい
ことを特徴とするコネクタ。
【発明の詳細な説明】
【技術分野】
【０００１】
本発明は、プラグ凸部が挿抜される凹部を有するハウジングに、プラグ凸部に設けられたプラグ端子が接触されるソケット端子を装着したソケット及びコネクタに係り、特に、凹部に対するプラグ凸部の挿抜が繰り返され、プラグ端子とソケット端子との接触、非接触が繰り返し行われるソケット及びコネクタに関する。
【背景技術】
【０００２】
車載用音響機器等の中には、盗難防止を図るために、ディスプレイ、チューナ回路及び制御回路等を内蔵した制御ブロック部を、車両運転室内に固設された機器本体から単独で取り出せるようにしたものが存在する。車両運転室から取り外し可能な制御ブロック部と、車両運転室内に固定された機器本体との間には、コネクタが設けられて電気的接続を行っている。かかるコネクタは、制御ブロック部を機器本体に着脱する度に、端子同士の接続と切離とが行われることになる。このような用途のコネクタとして、例えば特許文献１に記載されたデタッチャブルコネクタが知られている。
【０００３】
デタッチャブルコネクタは、上記制御ブロック部及び機器本体のいずれか一方に装着されるプラグと他方に装着されるソケットとから成り、ソケットは、プラグの凸部が挿抜される凹部にソケット端子を装着して構成され、プラグは、ソケットの凹部に挿抜される凸部にプラグ端子を装着して構成されている。従来のデタッチャブルコネクタは、プラグ端子が挿抜方向に沿った直線状に形成され、ソケット端子に山型に屈曲された接触部が１箇所設けられており、プラグをソケットに嵌合したとき、対となるソケット端子とプラグ端子との電気的接触が１点となっている。
【０００４】
【特許文献１】実開平７−５２７１号公報
【発明の開示】
【発明が解決しようとする課題】
【０００５】
ところで、上記デタッチャブルコネクタにおいては、プラグをソケットから引き抜いた状態では、プラグ端子及びソケット端子が剥き出しの状態となるため、これら端子の表面にソケット−プラグ間の電気的接触を妨げるような様々な異物が日常的に付着する可能性がある。
【０００６】
従って、上記端子の表面において、唯１点しかない電気接触部（ソケット端子の山型の接触部の頂点部分、この頂点部分と接するプラグ端子の特定部分）にたまたま異物として絶縁物が付着した場合には、プラグをソケットに嵌合させても、電気的接続が達成できない。
【０００７】
この対策として、ソケット端子に、山型に屈曲された接触部をもう１つ追加して設けること、即ちソケット端子に、山型に屈曲された接触部を、プラグの挿抜方向に間隔を隔てて２箇所設けることで、ソケット端子とプラグ端子との電気的接触箇所をソケット−プラグの挿抜方向に間隔を隔てて２箇所とすることが考えられる。
【０００８】
しかし乍ら、単純に、ソケット端子に、山型に屈曲された接触部を、プラグの挿抜方向に間隔を隔てて２箇所設けたのでは、プラグをソケットに挿入する際に、挿入が浅い段階で、プラグ端子（直線状）がソケット端子のプラグ挿入方向手前側の接触部（山型）に押し付けられて挿入抵抗力が発生するため、デタッチャブルコネクタとして脱着の操作性に劣る。
【０００９】
また、プラグをソケットに挿入するに伴って、プラグ端子の表面は、ソケット端子のプラグ挿入方向手前側の接触部によって擦られた後に、ソケット端子のプラグ挿入方向奥側の接触部によって擦られることになり、プラグ端子に、ソケット端子の２つの接触部によって重複して擦られる部分が生じる。よって、プラグ端子の表面に施されたメッキが削られて剥がれ易くなり、錆びの発生を招く。
【００１０】
そこで、本発明の目的は、プラグをソケットに挿入したとき、対となるプラグ端子とソケット端子との電気的接触箇所を２箇所としても、挿入抵抗力の発生を挿入が深い位置まで遅らせることができ、且つプラグ端子が、ソケット端子の２つの接触部に重複して擦られないソケット及びコネクタを提供することにある。
【課題を解決するための手段】
【００１１】
上記目的を達成するために本発明は、プラグ端子が装着されたプラグ凸部が挿抜される凹部を有するハウジングと、該ハウジングに装着され、上記凹部に挿入された上記プラグ凸部の上記プラグ端子と接触するソケット端子とを備え、該ソケット端子は、上記プラグ凸部の挿入方向奥側にて上記凹部内に突出された第１接触部と、該第１接触部よりも上記プラグ凸部の挿入方向手前側に配置された第２接触部と、上記凹部に挿入された上記プラグ凸部の上記プラグ端子が上記第１接触部を押圧することで変形し、上記第２接触部を上記凹部に挿入された上記プラグ凸部の上記プラグ端子に接触させる方向に移動させる変形部とを有するものである。
【００１２】
上記ハウジングに、上記凹部に繋げて端子収容室を形成し、該端子収容室に、上記ソケット端子を、上記第２接触部が上記凹部内に突出することなく上記第１接触部のみが上記凹部内に突出するように装着してもよい。
【００１３】
上記ソケット端子は、上記ハウジングに固定された基部と、該基部に繋げて折り返された第１湾曲部と、該第１湾曲部に繋げて上記第１湾曲部とは逆方向に折り返された第２湾曲部と、該第２湾曲部に繋げて形成されたアーム部と、該アーム部に繋げて山型に屈曲された山型部とを備え、上記第１接触部が、上記第２湾曲部に形成され、上記第２接触部が、上記山型部に形成され、上記変形部が、上記第１湾曲部と上記第２湾曲部との接続部に形成されてもよい。
【００１４】
上記第１接触部から上記第１湾曲部の上部頂点までの上下方向距離Ｘが、上記第１接触部から上記第２湾曲部の下部頂点までの上下方向距離Ｙより大きく、上記基部の上端部の上下方向位置が、上記第１接触部よりも下方であり、上記第１接触部から上記基部の上端部までの上下方向距離Ｚが、上記距離Ｘよりも小さくしてもよい。
【００１５】
上記第１接触部から上記第１湾曲部の上部頂点までの上下方向距離Ｘが、上記第１接触部から上記第２湾曲部の下部頂点までの上下方向距離Ｙより大きく、上記基部の上端部の上下方向位置が、上記第１接触部よりも上方であってもよい。
【００１６】
上記ソケット端子が、上記ハウジングの左右に上記凹部を挟むように対向して配設されており、左右のソケット端子の上記第１接触部同士の間隔ａが、左右のソケット端子の上記第２接触部同士の間隔ｂよりも小さくてもよい。
【００１７】
また、本発明に係るコネクタは、上記ソケットと、該ソケットの上記凹部に挿抜され、プラグ端子が装着されたプラグ凸部を有するプラグとから成るコネクタであって、上記プラグ端子が、上記プラグ凸部の左右に配設されており、左右のプラグ端子の間隔ｃが、上記間隔ａより大きく上記間隔ｂより小さいものである。
【発明の効果】
【００１８】
本発明に係るソケット及びコネクタによれば、プラグをソケットに挿入したとき、対となるプラグ端子とソケット端子との電気的接触箇所を２箇所としても、挿入抵抗力の発生を挿入が深い位置まで遅らせることができ、且つプラグ端子が、ソケット端子の２つの接触部に重複して擦られない。
【発明を実施するための最良の形態】
【００１９】
以下、本発明の好適実施形態について添付図面を用いて説明する。
【００２０】
図１は本実施形態に係るソケット１とこのソケット１に挿抜されるプラグ２とからなるコネクタ３（デタッチャブルコネクタ）の斜視図である。
【００２１】
このコネクタ３は、車両運転室から取り外し可能な制御ブロック部と車両運転室内に固定された機器本体とから成る車載用音響機器に備えられ、制御ブロック部と機器本体とを電気的に接続するものである。
【００２２】
ソケット１は、機器本体（固定側）の基板Ｐ１に電気的に接続された状態で固定され、プラグ２は、制御ブロック部（着脱側）の基板Ｐ２に電気的に接続された状態で固定されている。制御ブロック部を機器本体に対して着脱する毎に、制御ブロック部のプラグ２が機器本体のソケット１に嵌合離脱される。プラグ２がソケット１に嵌合されることで、制御ブロック部と機器本体とが電気的に接続される。
【００２３】
ソケット１は、プラグ２に形成された平板状のプラグ凸部４が挿抜される溝状の凹部５を有するハウジング６と、このハウジング６に装着され、凹部５に挿入されたプラグ凸部４に設けられたプラグ端子７と接触するソケット端子８とを備えている。プラグ２は、ソケット１の凹部５に挿抜されるプラグ凸部４と、プラグ凸部４に装着され、ソケット端子８と接触するプラグ端子７とを備えている。
【００２４】
図２はプラグ２の平面図であり、図３はソケット１の平面図である。
【００２５】
プラグ端子７は、平板状のプラグ凸部４の一側面に等間隔を隔てて配列されていると共に、プラグ凸部４の他側面に一側面とは位相をずらして等間隔を隔てて配列されている。但し、プラグ端子７は、プラグ凸部４の一側面と他側面とで位相をずらさなくてもよく、プラグ凸部４の一側面にのみ設けて他側面に設けなくても構わない。
【００２６】
ソケット端子８は、ソケット１のハウジング６の内部に、溝状の凹部５の一方の内側面に沿って等間隔を隔てて配列されていると共に、凹部５の他方の内側面に一方の内側面とは位相をずらして等間隔を隔てて配列されている。これらソケット端子８は、ソケット１の凹部５にプラグ凸部４が嵌入されたとき、プラグ端子７が適切にソケット端子８に接触するように配列されている。
【００２７】
従って、ソケット端子８は、プラグ端子７をプラグ凸部４の一側面と他側面とで位相をずらすことなく配列したときには、凹部５の一方の内側面と他方の内側面とで位相をずらすことなく配列することになり、プラグ端子７をプラグ凸部４の一側面にのみ設けて他側面に設けないときには、凹部５の一方の内側面にのみ設けて他方の内側面に設けない。
【００２８】
図４は図２のIV−IV線断面図、図５は図３のＶ−Ｖ線断面図、図６はソケット１の斜視断面図である。
【００２９】
プラグ２は、樹脂等の絶縁材から板状に形成されたプラグ凸部４と、プラグ凸部４の基端に同じく絶縁材により形成され基板Ｐ２に接触される基台部９と、プラグ凸部４の両側面に夫々装着されたプラグ端子７とを備えている。プラグ端子７は、プラグ凸部４の側面に形成された装着溝１０に嵌め込まれソケット端子８と接触する接触部１１と、接触部１１の先端に略１８０度折り返されて形成されプラグ凸部４の先端に形成された固定溝１２に差し込まれる固定部１３と、接触部１１の基端に９０度屈曲されて形成され基板Ｐ２に半田付けされるテール部１４とを有する。接触部１１は、左右のプラグ端子７間で平行に形成された直線接触部１１ａと、左右のプラグ端子７間で僅かに先窄まりに形成された傾斜接触部１１ｂとからなり、直線接触部１１ａにおいて、左右の直線接触部１１ａの表面同士の間隔ｃが一定となっている。
【００３０】
ソケット１は、樹脂等の絶縁材から略直方体形状に形成されたハウジング６と、プラグ凸部４が挿抜されるようにハウジング６に形成された溝状の凹部５と、凹部５に挿入されたプラグ凸部４のプラグ端子７と接触するようにハウジング６内に取り付けられたソケット端子８とを有する。ソケット端子８は、ハウジング６に凹部５に繋げて形成された端子収容室１５内に装着されている。端子収容室１５は、凹部５の左右に配設されており、凹部５の一方の内側面と他方の内側面とに夫々連通されている。端子収容室１５は、下部がハウジング６の底面に開口されると共に一側部が凹部５に開口されて連通されていて、凹部５の長手方向（ソケット１の幅方向）に間隔を隔てて複数形成されており、図６に示すように、凹部５の一方の内側面と他方の内側面とで位相がずらされている。
【００３１】
図７はソケット端子８の斜視図である。
【００３２】
図４〜図７に示すように、ソケット端子８は、プラグ凸部４の挿入方向奥側にて凹部５内に突出された第１接触部１６と、第１接触部１６よりもプラグ凸部４の挿入方向手前側に配置された第２接触部１７と、凹部５に挿入されたプラグ凸部４のプラグ端子７が第１接触部１６を押圧することで変形し、第２接触部１７を凹部５に挿入されたプラグ凸部４のプラグ端子７に接触させる方向に移動させる変形部１８とを有する。
【００３３】
詳しくは、ソケット端子８は、ハウジング６に固定された長板状の基部１９と、基部１９に繋げて滑らかに折り返された第１湾曲部２０と、第１湾曲部２０に繋げて第１湾曲部２０とは逆方向に滑らかに折り返された第２湾曲部２１と、第２湾曲部２１に繋げて形成されたアーム部２２と、アーム部２２に繋げて山型に屈曲された山型部２３とを備えていて、第２湾曲部の凹部５内の頂点に第１接触部１６が形成され、山型部２３の頂点に第２接触部１７が形成され、第１湾曲部２０と第２湾曲部２１との接続部に変形部１８が形成されている。また、基部１９には、基板Ｐ１に半田付けされるテール部２４が９０度屈曲されて形成されている。
【００３４】
ソケット端子８の基部１９は、ソケット端子８の基部１９以外の部分よりも板幅が大きく形成されており、図６に示すハウジング６の端子収容室１５の側壁２５に形成された装着溝２６に嵌め込まれる。側壁２５は、各端子収容室１５をソケット１の幅方向に仕切るものであり、これら側壁２５には、装着溝２６が、ハウジング６の底面からプラグ抜去方向に沿って凹部５の深さの中程まで形成されている。各装着溝２６には、ソケット端子８の基部１９がハウジング６の底面側から挿入（圧入）され、基部１９がその幅方向両側部に形成された矢尻によってハウジング６に固定され、ソケット端子８は、テール部２４を除く略全ての部分が端子収容室１５内に収容される。こうしてハウジング６に装着されたソケット端子８は、自然状態（外力が加わらない状態）で、第１接触部１６のみが凹部５に突出し、その他の部分（特に第２接触部１７）が凹部５に突出しない。
【００３５】
図４、図５に示すように、左右のソケット端子８の第１接触部１６同士の間隔ａは、左右のソケット端子８の第２接触部１７同士の間隔ｂよりも小さい。また、左右のプラグ端子７の間隔ｃは、上記間隔ａより大きく上記間隔ｂより小さい。すなわち、間隔ａ＜間隔ｃ＜間隔ｂとなっている。よって、プラグ凸部４をソケット１の凹部５に挿入すると、プラグ端子７がソケット端子８の第１接触部１６に接触するまでは、プラグ２がソケット端子８から受ける挿入抵抗力は零である。なお、ソケット１の凹部５の幅は、プラグ凸部４の挿入を許容できるようにするため、プラグ凸部４の幅（間隔ｃ）より僅かに広い。
【００３６】
図８はソケット端子８（テール部２４を省略）の側面図である。
【００３７】
ソケット端子８の第１接触部１６が、凹部５に挿入されたプラグ凸部４のプラグ端子７によって矢印方向（図中右方）に押圧されると、第１湾曲部２０と第２湾曲部２１との接続部に形成された変形部１８が変形し、第２接触部１７が図中左方即ち凹部５に挿入されたプラグ凸部４のプラグ端子７に接触する方向に変位する。詳しくは、第１接触部１６がプラグ端子７によって矢印方向に押圧されると、第１湾曲部２０と第２湾曲部２１との間の変形部１８が、図８に仮想線で示すように反時計方向に回動し、第２湾曲部２１とアーム部２２と山型部２３とが略一体となって、図８にて左方に倒れるように回動し、端子収容室１５に収容されていた山型部２３の第２接触部１７が凹部５内に飛び出てプラグ端子７と接触する。
【００３８】
ソケット端子８のこのような変形を確保するために、ソケット端子８の各部の大小関係は次のようになっている。
【００３９】
第１接触部１６から第１湾曲部２０の上部頂点２０ａ（第１湾曲部２０におけるプラグ抜去方向の端部）までの上下方向（プラグ抜去方向と平行な方向）距離をＸとし、第１接触部１６から第２湾曲部２１の下部頂点２１ａ（第２湾曲部２１におけるプラグ挿入方向の端部）までの上下方向距離をＹとすると、距離Ｘ＞距離Ｙとなっている。
【００４０】
距離Ｘ＞距離Ｙとすることで、図８にて第１接触部１６に加わる矢印方向の力により、第２湾曲部２１とアーム部２２と山型部２３とを、一体的に、第１湾曲部２０の上部頂点２０ａを中心として左方に倒れるように反時計方向に回動させるモーメントの腕の長さ
（距離Ｘ）が、第２湾曲部２１とアーム部２２と山型部２３とを、一体的に、第２湾曲部２１の下部頂点２１ａを中心として右方に倒れるように時計方向に回動させるモーメントの腕の長さ（距離Ｙ）よりも長くなる。よって、第２湾曲部２１とアーム部２２と山型部２３とが一体的に左方に倒れ、第２接触部１７がプラグ端子７に押し付けられる。
【００４１】
他方、距離Ｘが距離Ｙよりも短いと、距離Ｙによって生じるモーメントが距離Ｘによって生じるモーメントよりも大きくなるため、第２湾曲部２１とアーム部２２と山型部２３とは、全体としては、右方に倒れるように回動してしまい、第２接触部１７がプラグ端子７から離間して接触しない。
【００４２】
また、基部１９の上端部１９ａの上下方向位置が、第１接触部１６よりも下方であり、第１接触部１６から基部１９の上端部１９ａまでの上下方向距離をＺとすると、距離Ｚ＜距離Ｘとなっている。
【００４３】
距離Ｚが距離Ｘ以上となると、第１接触部１６に加わる矢印方向の力により、ソケット端子８が基部１９の上端部１９ａの位置で図８の右方に折れ曲がってしまい、第２湾曲部２１とアーム部２２と山型部２３とが全体的に右方に移動し、端子収容室１５に収容されている第２接触部１７が凹部５内に飛び出ない事態が考えられるからである。
【００４４】
ここで、基部１９の上端部１９ａの位置は、ソケット端子８が基部１９の矢尻によってハウジング６に固定されているため、上部矢尻の頂点の位置と定義される。但し、ソケット端子８の基部１９は、ハウジング６の装着溝２６に嵌め込まれており、その嵌め込まれた部分で板厚方向に固定されるとも考えられるため、この考え方に基づき、基部１９の上端部１９ａは、基部１９が装着溝２６から露出する位置の部分と定義されてもよい。
【００４５】
以上述べたように、距離Ｘ＞距離Ｙ、距離Ｚ＜距離Ｘ、が共に成立することで、距離Ｘによって生じるモーメントが最も大きくなるため、第２湾曲部２１とアーム部２２と山型部２３とが、図８に仮想線で示すように、一体的に、左方に倒れることになる。
【００４６】
なお、基部１９の上端部１９ａの上下方向位置を、図８に示す本実施形態とは異なり、第１接触部１６よりも上方とした場合には、距離Ｘ＞距離Ｙの関係のみを満足すればよい。基部１９の上端部１９ａの上下方向位置が第１接触部１６よりも上方であれば、第１接触部１６に加わる矢印方向の力によって、ソケット端子８が基部１９の上端部１９ａの位置で図８の右方に折れ曲がらないからである。
【００４７】
また、第１湾曲部２０の上部頂点２０ａの部分（及び／又は変形部１８の部分）の端子幅（及び／又は端子板厚）をソケット端子８のその他の部分よりも小さくすることで、図８の矢印方向の力に対して上部頂点２０ａの部分（及び／又は変形部１８の部分）が最も剛性が低く最も変形し易くなっていれば、上記関係、距離Ｘ＞距離Ｙ、距離Ｚ＜距離Ｘ、に拘束されない。但し、欠点として、ソケット端子８に幅や厚みの小さい箇所があるので、製造工程において不測の変形が生じ易くなることが挙げられる。
【００４８】
本実施形態の作用を述べる。
【００４９】
図９はソケット１の凹部５にプラグ凸部４を挿入する途中の様子を示す側断面図、図１０は図９から更に挿入を深めた様子（挿入は完了していない）を示す側断面図である。
【００５０】
ソケット１の凹部５にプラグ凸部４を挿入していくと、図４、図５にて、間隔ａ＜間隔ｃ＜間隔ｂとなっており、且つ第１接触部１６が凹部５内に突出していて第２接触部１７は凹部５内に突出していないため、プラグ２は、プラグ端子７がソケット端子８の第１接触部１６に接触するまでは、ソケット端子８から受ける挿入抵抗力が零の状態で、挿入完了深さの中程までスムーズに進入する。
【００５１】
プラグ端子７がソケット端子８の第１接触部１６に接触した後、プラグ凸部４の挿入が進行すると、第１接触部１６がプラグ端子７によって図９の右方（ハウジング６の外側方向）に押圧され、第１接触部１６が外側方向（図８の矢印方向）に変位する。すると、この第１接触部１６の変位に追従して、それまで凹部５内に突出することなく端子収容室１５内に収容されていた第２接触部１７が、第１接触部１６とは反対の図９の左方（ハウジング６の内側方向）に変位し、凹部５内に突出してプラグ端子７に押し付けられる。この結果、図１０に示すように、ソケット端子８の第１接触部１６と第２接触部１７とが、共にプラグ端子７に接触する。
【００５２】
以降、プラグ凸部４の挿入が更に進行すると、第１接触部１６がプラグ端子７の表面と滑ると共に、第２接触部１７がプラグ端子７の表面を滑る。ここで、第１接触部１６と第２接触部１７とは所定長さのアーム部２２によって離間されているため、第１接触部１６がプラグ端子７の表面を摺接する領域１６Ｘ（第１摺接箇所）と、第２接触部１７がプラグ端子７の表面を摺接する領域１７Ｘ（第２摺接箇所）とは、重複しない。すなわち、図９にて、第２接触部１７がプラグ端子７に初めて接触したときの接触点からプラグ凸部４の下端部までの距離Ａが、プラグ凸部４が凹部５の底面に突き当たると仮定した場合、第１接触部１６から凹部５の底面までの距離Ｂよりも長くなるように、アーム部２２の長さが設定されている。
【００５３】
本実施形態によれば、プラグ２をソケット１に嵌合したとき、対となるプラグ端子７とソケット端子８との電気的接点が第１接触部１６及び第２接触部１７の２箇所となるので、各端子７、８の表面に絶縁性の異物が付着したとしても、電気的接点が１箇所の従来例と比べると、導通が確保され易くなり、電気的接触の信頼性が向上する。
【００５４】
プラグ凸部４をソケット１の凹部５に挿入する際には、プラグ端子７は、プラグ挿入方向奥側の第１接触部１６に接触するまでは、プラグ挿入方向手前側の第２接触部１７に接触しない。よって、プラグ挿入力の発生を、プラグ端子７が第１接触部１６に差し掛かる比較的深い挿入深さまで、即ちプラグ凸部４がソケット１の凹部５に挿入完了深さの中程に挿入されるまで、遅らせることができる。従って、挿入完了深さの中程まではプラグ挿入力が発生しないことになり、ソケット１に対するプラグ２の挿入操作性が向上する。また、同様の理由によりソケット１に対するプラグ２の抜去操作性も向上する。
【００５５】
プラグ端子７が第１接触部１６に接触する様子を詳述すると、第１接触部１６には、最初、プラグ端子７の傾斜接触部１１ｂ（図４参照）が接触し、その後、直線接触部１１ａが接触する。これにより、第１接触部１６は、最初、傾斜接触部１１ｂによって徐々に端子収容室１５の方向に変位され、最終的に、直線接触部１１ａによって端子収容室１５内に押し込まれることになる。この結果、第２接触部１７は、最初、傾斜接触部１１ｂが第１接触部１６を押圧することによって生じる比較的弱い力でプラグ端子７に押し付けられ、その後、直線接触部１１ａが第１接触部１６を押圧することによって生じる比較的強い力でプラグ端子７に押し付けられることになる。従って、プラグ挿入力が挿入深さに応じて徐々に増すことになり、ソケット１に対するプラグ２の挿入操作性が向上する。逆に、プラグ２をソケット１から抜去する際には、同様の理由により、プラグ抜去力が徐々に小さくなるため、プラグ２の抜去操作性も向上する。
【００５６】
プラグ凸部４をソケット１の凹部５に挿入完了深さまで挿入したとき、第１接触部１６がプラグ端子７の表面を摺接する第１摺接箇所１６Ｘと、第２接触部１７がプラグ端子７の表面を摺接する第２摺接箇所１７Ｘとは、重複しない。すなわち、プラグ端子７は、最終的には、第１接触部１６と第２接触部１７との２点でソケット端子８と接触するものであるが、プラグ端子７には、第１接触部１６と第２接触部１７とが重複して擦れる部分が生じない。よって、２点接触であっても、プラグ端子７の表面に施されたメッキが、削られ難く、剥がれ難くなり、錆びの発生が抑えられる。従って、１点接触の場合と同じ接触信頼性を保つことができる。
【００５７】
本発明は上記実施形態に限定されない。
【００５８】
例えば、第２接触部１７は、第１接触部１６の凹部５内への突出量より小さい突出量であれば、凹部５内に突出していてもよい。
【図面の簡単な説明】
【００５９】
【図１】本実施形態に係るソケットとこのソケットに挿抜されるプラグとからなるコネクタ（デタッチャブルコネクタ）の斜視図である。
【図２】プラグの平面図である。
【図３】ソケットの平面図である。
【図４】図２のIV−IV線断面図である。
【図５】図３のＶ−Ｖ線断面図である。
【図６】ソケットの斜視断面図である。
【図７】ソケット端子の斜視図である。
【図８】ソケット端子（テール部を省略）の側面図である。
【図９】ソケットの凹部にプラグ凸部を挿入する途中の様子を示す側断面図である。
【図１０】図９から更に挿入を深めた様子を示す側断面図である。
【符号の説明】
【００６０】
１  ソケット
２  プラグ
３  コネクタ
４  プラグ凸部
５  凹部
６  ハウジング
７  プラグ端子
８  ソケット端子
１５  端子収容室
１６  第１接触部
１８  変形部
１７  第２接触部
１９  基部
１９ａ  上端部
２０  第１湾曲部
２０ａ  上部頂点
２１  第２湾曲部
２１ａ  下部頂点
２２  アーム部
２３  山型部
Ｘ  第１接触部１６から第１湾曲部２０の上部頂点２０ａまでの上下方向距離
Ｙ  第１接触部１６から第２湾曲部２１の下部頂点２１ａまでの上下方向距離
Ｚ  第１接触部１６から基部１９の上端部１９ａまでの上下方向距離
ａ  左右のソケット端子８の第１接触部１６同士の間隔
ｂ  左右のソケット端子８の第２接触部１７同士の間隔
ｃ  左右のプラグ端子７の間隔
【図１】
2009037970.tif 000003
【図２】
2009037970.tif 000004
【図３】
2009037970.tif 000005
【図４】
2009037970.tif 000006
【図５】
2009037970.tif 000007
【図６】
2009037970.tif 000008
【図７】
2009037970.tif 000009
【図８】
2009037970.tif 000010
【図９】
2009037970.tif 000011
【図１０】
2009037970.tif 000012